(57)【要約】【課題】  チューナーユニット、電源部、制御回路の三者相互間でのノイズの発生を満足のいく程度に除去することが可能であり、ノイズ発生の原因になるケーブルによる電路接続が必ずしも必要なくなるデジタル機器の基板等配置構造を提供する。【解決手段】  平面視矩形の筐体１内の配線基板を、チューナーユニット４及び電源部５を十分に広い距離間隔を隔てて実装した片面基板２と、制御回路を実装したデジタル多層基板３とに分ける。チューナーユニット４と電源部５とを横方向に並べる。デジタル多層基板３を、筐体１の対角方向に沿う方向Ｂで、チューナーユニット４に対して十分に広い距離間隔を隔てて対向配備する。ローダユニット６を、片面基板２及びデジタル多層基板３の片側に近接して配備し、ローダユニット６の光ピックアップ７を、筐体の対角方向に沿う方向Ｃでチューナーユニット４に対して対向配備する。【選択図】        図１
2006079778.tif 000002
【特許請求の範囲】
【請求項１】
信号入出力用チューナーユニットと、電源回路を形成している電源部と、信号をデジタル処理する制御回路との三者を搭載した配線基板が、平面視矩形の筐体内に配備されているデジタル機器の基板等配置構造において、
上記配線基板が、上記チューナーユニット及び上記電源部がノイズの影響を除去することが可能な距離を隔てて実装された片面基板と、上記制御回路が実装されたデジタル多層基板とに分かれていると共に、上記片面基板のコーナ部が筐体の入隅部に位置していて、そのコーナ部に上記チューナーユニットが実装され、かつ、上記電源部が上記チューナーユニットに対して横方向に並んで位置しており、
上記デジタル多層基板が、上記電源部の前側で上記片面基板に上下方向で重畳配備され、かつ、上記筐体の対角方向に沿う方向で上記チューナーユニットに対してノイズの影響を除去することが可能な距離を隔てて対向配備されており、
電磁的に制御される光ピックアップを搭載したローダユニットが上記筐体の内部スペースに追加して配備されていて、そのローダユニットが、上記電源部を挟んで上記チューナーユニットの反対側で、上記片面基板及び上記デジタル多層基板の片側にデジタル多層基板に近接して配備され、かつ、上記ローダユニットの光ピックアップが、上記筐体の対角方向に沿う方向で上記チューナーユニットに対して対向配備されていることを特徴とするデジタル機器の基板等配置構造。
【請求項２】
信号入出力用チューナーユニットと、電源回路を形成している電源部と、信号をデジタル処理する制御回路とを搭載した配線基板が平面視矩形の筐体内に配備されているデジタル機器の基板等配置構造において、
上記配線基板が、上記チューナーユニット及び上記電源部がノイズの影響を除去することが可能な距離を隔てて実装された片面基板と、上記制御回路が実装されたデジタル多層基板とに分かれていて、上記デジタル多層基板が、上記チューナーユニットに対してノイズの影響を除去することが可能な距離を隔てて配備されていることを特徴とするデジタル機器の基板等配置構造。
【請求項３】
上記片面基板のコーナ部が筐体の入隅部に位置していて、そのコーナ部に上記チューナーユニットが実装されており、上記デジタル多層基板が、上記筐体の対角方向に沿う方向で上記チューナーユニットに対して対向配備されている請求項２に記載したデジタル機器の基板等配置構造。
【請求項４】
上記電源部が上記チューナーユニットに対して横方向に並んで位置し、上記デジタル多層基板が上記電源部に対して前後方向に並んで位置している請求項３に記載したデジタル機器の基板等配置構造。
【請求項５】
上記片面基板に上記デジタル多層基板が上下方向で重畳配備されている請求項４に記載したデジタル機器の基板等配置構造。
【請求項６】
電磁的に制御される光ピックアップを搭載したローダユニットが上記筐体の内部スペースに追加して配備されていて、そのローダユニットが、上記電源部を挟んで上記チューナーユニットの反対側で、上記片面基板及び上記デジタル多層基板の片側に配備されている請求項５に記載したデジタル機器の基板等配置構造。
【請求項７】
上記ローダユニットの光ピックアップが、上記筐体の対角方向に沿う方向で上記チューナーユニットに対して対向配備されている請求項６に記載したデジタル機器の基板等配置構造。
【発明の詳細な説明】
【技術分野】
【０００１】
本発明は、デジタル機器の基板等配置構造、詳しくは、信号入出力用チューナーユニット、電源部及び制御回路の相互間でのノイズ信号の不要輻射による悪影響、それらと光ピックアップを備えたローダユニットとの相互間でのノイズ信号の不要輻射による悪影響、基板間接続用コネクタやケーブルに対するノイズ信号の不要輻射による悪影響などを抑制するための対策を講じたデジタル機器の基板等配置構造に関する。
【背景技術】
【０００２】
従来、ＡＶ機器、フロッピディスク装置、制御機器などにおいて、ノイズ除去対策を講じることは一般的に行われている（特許文献１、特許文献２、特許文献３）。このうち、特許文献１では、１枚の配線基板上での電源回路と外部入出力端子との配置に工夫を講じることにより、電源回路の動作に伴って映像・音声出力信号にノイズ信号が重畳される問題を回避している。特許文献２では、フロッピディスクの本体フレームに収容されている１枚の制御回路基板上での各コネクタの配置に工夫を講じることによって、ノイズ受信を抑制し、配線が錯綜することを抑制している。そして、これらの各特許文献１、２に記載されているものが１枚の基板上での回路やコネクタといった要素の配置に工夫を講じているのに対し、特許文献３では、配線基板を、電源回路及びコネクタを実装した入出力信号処理基板と、マイクロコンピュータ及びその他の回路を実装した演算処理基板とに分け、それら両方の基板を接続ジャンパーで接続してあり、その接続ジャンパーに所定の抵抗値を付与している。
【０００３】
また、光伝送システムでの信号干渉を抑える技術が提案されている（特許文献４）。この特許文献４に記載されている技術は、論理機能付き光送受信モジュールにおいて、送受信回路を構成する回路基板と、論理演算処理を行う論理回路を構成する回路基板とを、所定の距離を隔てて平行に配備し、両基板をフレキシブル回路基板で接続している。
【０００４】
さらに、信号処理用半導体集積回路に関して、スプリアスノイズによるＣＮ比の劣化を抑える技術が提案され（特許文献５）、大規模集積回路に適用することのできる図形レイアウト変更システムも提案されている（特許文献６）
ところで、外殻ハウジングとしての筐体の内部にチューナユニットを備えるローダユニットが配備されているようなデジタル機器において、筐体内に配備した配線基板に、信号入出力用の上記チューナーユニットと、電源回路を形成している電源部と、信号をデジタル処理する制御回路との三者を搭載する必要がある場合に、電源部を上記配線基板から分離して電源基板に実装し、チューナーユニットと制御回路とを共通の１枚の基板に実装するという従来例があった。
【特許文献１】特開２００２−３４３０７３号公報
【特許文献２】特開２００１−１０１８２９号公報
【特許文献３】実開平５−４５９０号公報
【特許文献４】特開平１１−１７７２７８号公報
【特許文献５】特開２００１−２４４４１６号公報
【特許文献６】特開平１１−２７２７３２号公報
【発明の開示】
【発明が解決しようとする課題】
【０００５】
しかしながら、上記した従来例のデジタル機器のように、電源部を上記配線基板から分離して電源基板に実装し、チューナーユニットと制御回路とを共通の１枚の基板に実装したものでは、それら２枚の基板を収容する筐体の内部スペースの広さに制約があり、その筐体の内部には光ピックアップを備えるローダユニットを配備することも要求される。そのため、チューナーユニットと制御回路とを実装している共通の基板を無制限に大きくすることができず、その結果、チューナーユニットと制御回路との間、チューナーユニットとローダユニットの光ピックアップとの間の距離間隔が狭くなってノイズ除去を満足のいく程度に達成することが困難であった。同様に、チューナーユニットと電源部との間でのノイズ除去も満足のいく程度に達成されにくかった。そこで、必要に応じて電磁波シールド板などを追加したりしていた。また、基板間を比較的長いケーブル等によって接続することも行われており、その場合には、ケーブルと上記チューナーユニットや光ピックアップなどとの間でのノイズが問題になることもあった。
【０００６】
一方、上掲の特許文献１〜６のうち、配線基板を２つの基板に分けるという技術を採用しているのは特許文献３及び特許文献４の２つであり、そのうち、特許文献３は筐体内での基板などのレイアウトを提案したものではなく、また、特許文献４は光送受信モジュールに関するものであって、上記したようなデジタル機器での基板などの全体的なレイアウトに適用することのできる技術ではない。
【０００７】
本発明は以上の状況の下でなされたものであり、信号入出力用チューナーユニットと、電源回路を形成している電源部と、信号をデジタル処理する制御回路との三者を搭載した配線基板が、平面視矩形の筐体内に配備されているデジタル機器の基板等配置構造において、その配線基板を片面基板とデジタル多層基板に分けることを基本とし、その上で、チューナーユニット、電源部、制御回路の三者相互間でのノイズの発生を満足のいく程度に除去することが可能であり、しかも、ノイズ発生の原因にもなるケーブルによる電路接続が必ずしも必要なくなるデジタル機器の基板等配置構造を提供することを目的とする。
【０００８】
また、本発明は、ＤＶＤレコーダなどの光ピックアップを備えるローダユニットが上記配線基板と併せて筐体に収容されるような場合にも、その光ピックアップと上記三者との相互間でのノイズの影響を満足のいく程度に抑制することのできるデジタル機器の基板等配置構造を提供することを目的とする。
【課題を解決するための手段】
【０００９】
本発明に係るデジタル機器の基板等配置構造では、信号入出力用チューナーユニットと、電源回路を形成している電源部と、信号をデジタル処理する制御回路とを搭載した配線基板が平面視矩形の筐体内に配備されているデジタル機器の基板等配置構造において、上記配線基板が、上記チューナーユニット及び上記電源部がノイズの影響の及ばない距離を隔てて実装された片面基板と、上記制御回路が実装されたデジタル多層基板とに分かれていて、上記デジタル多層基板が、上記チューナーユニットに対してノイズの影響の及ばない距離を隔てて配備されている。ここで、「ノイズの影響の及ばない距離」とは、ノイズの影響が及びにくくなる距離を含む意味であり、距離を隔てること以外の対策、たとえばシールド板設置などのノイズ除去対策を講じる必要のない距離を指している。
【００１０】
この構成であると、チューナーユニット及び電源部が共通の片面基板に実装されているとしても、それら相互間でノイズによる悪影響が及ばないか、あるいは、及びにくくなる。また、制御回路を実装したデジタル多層基板がチューナーユニットに対してノイズの影響の及ばない距離を隔てて配備されていることにより、制御回路及びチューナーユニットの相互間でもノイズによる悪影響が及ばないか、あるいは、及びにくくなる。そして、特に、ＩＣチップなどの多くの電子部品を搭載する必要のある基板として多層基板を選択しているので、デジタル多層基板が小サイズになり、それだけデジタル多層基板の設置スペースが狭くて済むようになっで筐体内の狭いペースでの良好なノイズ対策となる。
【００１１】
本発明では、上記片面基板のコーナ部が筐体の入隅部に位置していて、そのコーナ部に上記チューナーユニットが実装されており、上記デジタル多層基板が、上記筐体の対角方向に沿う方向で上記チューナーユニットに対して対向配備されていることが望ましい。この構成であると、筐体内の限られたスペースで、デジタル多層基板とチューナーユニットとをノイズ対策として十分な距離だけ離して配置することが可能になる。
【００１２】
本発明では、上記電源部が上記チューナーユニットに対して横方向に並んで位置し、上記デジタル多層基板が上記電源部に対して前後方向に並んで位置していることが望ましい。これによっても、筐体内の限られたスペースで、デジタル多層基板とチューナーユニットと、デジタル多層基板とをノイズ対策として十分な距離だけ離して配置することが可能になる。
【００１３】
本発明では、上記片面基板に上記デジタル多層基板が上下方向で重畳配備されている、という構成を採用することが可能であり、これによれば、筐体内のスペースの広さとして、片面基板とデジタル多層基板とを併せた平面スペースに相当するほどの広さが要求されなくなる。
【００１４】
本発明では、電磁的に制御される光ピックアップを搭載したローダユニットが上記筐体の内部スペースに追加して配備されていて、そのローダユニットが、上記電源部を挟んで上記チューナーユニットの反対側で、上記片面基板及び上記デジタル多層基板の片側に配備されていることが望ましい。特に、上記ローダユニットの光ピックアップが、上記筐体の対角方向に沿う方向で上記チューナーユニットに対して対向配備されていることが望ましい。これによれば、電磁的に制御される光ピックアップを搭載したローダユニットを包み込むようなシールド板を設置せずに、その光ピックアップとチューナーユニットとの距離間隔を十分に広く確保することが容易に可能になって、両者間でのノイズによる悪影響をシールド板を用いずに抑制することが容易に可能になる。また、片面基板とデジタル多層基板とローダユニットとの相互間を接続する電路としてコネクタを採用することが可能になり、ノイズの原因になりやすいケーブルによる接続が必ずしも必要なくなる。
【００１５】
本発明に係るデジタル機器の基板等配置構造は、信号入出力用チューナーユニットと、電源回路を形成している電源部と、信号をデジタル処理する制御回路との三者を搭載した配線基板が、平面視矩形の筐体内に配備されているデジタル機器の基板等配置構造において、上記配線基板が、上記チューナーユニット及び上記電源部がノイズの影響の及ばない距離を隔てて実装された片面基板と、上記制御回路が実装されたデジタル多層基板とに分かれていると共に、上記片面基板のコーナ部が筐体の入隅部に位置していて、そのコーナ部に上記チューナーユニットが実装され、かつ、上記電源部が上記チューナーユニットに対して横方向に並んで位置しており、上記デジタル多層基板が、上記電源部の前側で上記片面基板に上下方向で重畳配備され、かつ、上記筐体の対角方向に沿う方向で上記チューナーユニットに対してノイズの影響の及ばない距離を隔てて対向配備されており、電磁的に制御される光ピックアップを搭載したローダユニットが上記筐体の内部スペースに追加して配備されていて、そのローダユニットが、上記電源部を挟んで上記チューナーユニットの反対側で、上記片面基板及び上記デジタル多層基板の片側にデジタル多層基板に近接して配備され、かつ、上記ローダユニットの光ピックアップが、上記筐体の対角方向に沿う方向で上記チューナーユニットに対して対向配備されている、という構成を採用することによっていっそう具体化される。この発明の作用などについては、後述する実施形態を参照して詳細に説明する。
【発明の効果】
【００１６】
以上のように、本発明によれば、デジタル多層基板とアナログ系信号を処理する電源系の片面基板にとによってシンプルな基板構成が得られるこに加えて、チューナーユニット、電源部、制御回路の三者相互間でのノイズの発生を満足のいく程度に除去することが可能になり、しかも、ノイズ発生の原因にもなるケーブルによる電路接続が必ずしも必要なくなるという有益な効果が奏される。また、ＤＶＤレコーダなどの光ピックアップを備えるローダユニットが上記配線基板と併せて筐体に収容されるような場合にも、その光ピックアップと上記三者との相互間でのノイズの影響を満足のいく程度に抑制することが可能になる。したがって、本発明を採用することによって、ノイズ対策にコストがそれほどかからず、しかも、ノイズによる悪影響が発生しにくいデジタル機器を安価に提供することが可能になる。
【発明を実施するための最良の形態】
【００１７】
図１は本発明に係るデジタル機器の基板等配置構造の実施形態を示した概略平面図である。同図において、１は外殻ハウジングとしての平面視矩形の筐体で、この筐体１内に配備された配線基板が、片面基板２とデジタル多層基板３とに分かれている。そして、片面基板２に、信号入出力用チューナーユニット４と、電源回路を形成している電源部５とが実装されているのに対し、デジタル多層基板３に信号をデジタル処理する制御回路が実装されている。
【００１８】
筐体１の後側の１つの入隅部１２に片面基板２の１つのコーナ部２１が位置し、そのコーナ部２１にチューナーユニット４が実装されているのに対し、電源部５がチューナーユニット４に対して横方向（矢印Ａ）に並ぶ状態で片面基板２の他のコーナ部２２に実装されている。チューナーユニット４には入出力用のＲＦ端子、ＵＨＦ端子、ＶＨＦ端子などの端子群が含まれている。また、電源部５には、たとえばブリッジ回路、スイッチング回路、トランス、整流回路、電圧安定化回路、電圧出力回路などが含まれている。そして、チューナーユニット４と電源部５とは、お互いのノイズの影響を除去することが可能な距離を隔てている。したがって、たとえば電源部５の動作時に、チューナーユニット４を介して入出力された映像信号や音声信号が電源部５から不要輻射されたノイズによって悪影響を受けることはない。
【００１９】
デジタル多層基板３には、たとえば表示回路や操作信号処理回路、さらには後述するユニットユニット６の光ピックアップ７の動作を制御するための回路といった制御回路（不図示）が実装されている。このデジタル多層基板３にはＩＣチップなどの多くの電子部品（不図示）が搭載されてはいるけれども、それらの電子部品はデジタル多層基板３の表面や裏面などに振り分けて搭載されているために、デジタル多層基板３自体は片面基板２に比べて比較的小サイズのもので済み、その設置スペースが狭くて済む。図例では、このデジタル多層基板３の後半部を、上記した電源部５の前側で片面基板２に上下方向で重畳させることによって、片面基板２とデジタル多層基板３とを合わせた平面スペースの奥行方向の広さを、筐体１内に確保された奥行方向のスペースに合わせてある。そして、このようなレイアウトを保った上で、デジタル多層基板３を、筐体１の対角方向に沿う方向（矢印Ｂ）でチューナーユニット４に対してノイズの影響を除去することが可能な距離を隔てて対向配備してある。したがって、デジタル多層基板３の制御回路の動作時に、チューナーユニット４を介して入出力された映像信号や音声信号が電源部５から不要輻射されたノイズによって悪影響を受けることはない。
【００２０】
この実施形態では、筐体１内にＤＶＤレコーダとしてのローダユニット６が配備されている。このローダユニット６は、デジタル多層基板３の制御回路によって動作が電磁的に制御される光ピックアップ７やテーンテーブル駆動モータなどの必要部品を備えていて、その光ピックアップ７が矢印Ｙ方向に走行することによって、図示していないメディアとしてのディスクの記録面を走査し、そのディスクに対する情報信号の書込みや読取りを行うことができるようになっている。このローダユニット６は、電源部５を挟んでチューナーユニット４の反対側で、片面基板２及びデジタル多層基板３の片側に配備され、しかも、デジタル多層基板３に図示のように近接している。また、ローダユニット６の光ピックアップ７が、筐体１の対角方向に沿う方向（矢印Ｃ）でチューナーユニット４に対して対向配備されている。この構成により、筐体１の限られた広さのスペース内であるにもかかわらず、光ピックアップ７とチューナーユニット４との距離間隔が十分に広く確保されて、両者間でのノイズによる悪影響がシールド板などの他のノイズ対策を講じることなく抑制されるようになる。
【００２１】
この実施形態では、ローダユニット６をディスク多層基板３に近接させているので、それの間の電路をコネクタ（不図示）によって構成することが可能になって、ケーブルなどの接続線を用いる場合に比べて優れたノイズ対策となる。また、片面基板２とデジタル多層基板３とが重畳して配備されているためにそれら両者間の電路もコネクタによって構成することが可能になって、上記同様に、ケーブルなどの接続線を用いる場合に比べて優れたノイズ対策となる。
【００２２】
この実施形態では、ローダユニット６がＤＶＤレコーダである場合を説明したけれども、他のデジタル機器であってもよい。
【図面の簡単な説明】
【００２３】
【図１】本発明に係るデジタル機器の基板等配置構造の実施形態を示した概略平面図である。
【符号の説明】
【００２４】
１  筐体
２  片面基板
３  デジタル多層基板
４  チューナーユニット
５  電源部
６  ローダユニット
７  光ピックアップ
１２  筐体の入隅部
２１  片面基板のコーナ部
Ａ  横方向
Ｂ，Ｃ  筐体の対角方向に沿う方向
【図１】
2006079778.tif 000003